(57)【要約】【課題】  錠剤の取り扱いを簡便にできる錠剤の包装体と、錠剤の包装体を容易に装填して錠剤補充操作を適切に行える錠剤補充装置と、錠剤補充装置を装備した感光材料処理装置とを、提供する。【解決手段】  装填した錠剤の包装体１１２を、搬送位置決め手段が、錠剤投入口部材１２８の開口に各錠剤収容部が順次合致するように搬送操作する。錠剤収容部が錠剤投入口部材１２８の開口直上に位置した状態で、錠剤排出機構が錠剤収容部を押し操作することによりフィルム状部材を破って錠剤を錠剤投入口部材内部へ落下させるという錠剤の投入動作を、自動的に確実に実行し、作業能率を向上できる。【選択図】      図２
2006084773.tif 000002
【特許請求の範囲】
【請求項１】
複数の凹部状に形成した錠剤収容部を一体に形成したシート部材と、
前記各錠剤収容部内にそれぞれ収容された錠剤と、
前記錠剤を入れた前記錠剤収容部の開口がある前記シート部材の平面に一体的に接着されることにより、前記シート部材と相俟って前記錠剤を密封するフィルム状部材と、
前記フィルム状部材における前記錠剤収容部の開口周囲部分に形成された、簡易破断手段と、
前記シート部材と前記フィルム状部材とが一体化された平面部分に、操作開口を等間隔で直線状に穿設して構成した搬送用の開口列と、
を有することを特徴とする錠剤の包装体。
【請求項２】
シート部材に複数の凹部状に形成した錠剤収容部を一体に形成し当該各錠剤収容部内にそれぞれ錠剤を収容し前記錠剤収容部の開口がある前記シート部材の平面にフィルム状部材を一体的に接着して構成した錠剤の包装体を、補充液の補充槽に設けた錠剤投入口部材の開口に前記各錠剤収容部が順次合致するように、搬送操作する搬送位置決め手段と、
前記錠剤投入口部材の開口に位置決めされた前記錠剤収容部を押し操作して、内部に収容されていた前記錠剤が前記フィルム状部材を破り前記錠剤投入口部材内部へ落下するようにさせる、錠剤排出機構と、
を有することを特徴とする錠剤補充装置。
【請求項３】
複数の凹部状に形成した錠剤収容部を一体に形成したシート部材と前記各錠剤収容部内にそれぞれ収容された錠剤と前記錠剤を入れた前記錠剤収容部の開口がある前記シート部材の平面に一体的に接着されることにより前記シート部材と相俟って前記錠剤を密封するフィルム状部材と前記フィルム状部材における前記錠剤収容部の開口周囲部分に形成された簡易破断手段と前記シート部材と前記フィルム状部材とが一体化された平面部分に操作開口を等間隔で直線状に穿設して構成した搬送用の開口列とを有する錠剤の包装体を、前記搬送用の開口列に送り操作用歯車部材の各歯部を噛合させた状態で当該送り操作用歯車部材を回動することにより補充液の補充槽に設けた錠剤投入口部材の開口に前記各錠剤収容部が順次合致するように搬送する錠剤包装体の送り機構と、
前記錠剤投入口部材の開口に位置決めされた前記錠剤収容部を押し操作して、内部に収容されていた前記錠剤が前記フィルム状部材を破り前記錠剤投入口部材内部へ落下するようにさせる、錠剤排出機構と、
を有することを特徴とする錠剤補充装置。
【請求項４】
前記錠剤投入口部材の内部から、前記フィルム状部材が破られた前記錠剤収容部の内部へ洗浄用の液体を噴射して洗浄する洗浄手段を設けたことを特徴とする請求項２又は請求項３に記載の錠剤補充装置。
【請求項５】
請求項２乃至請求項３の何れか１項に記載した前記錠剤補充装置を具備することを特徴とする、錠剤補充装置を装備した感光材料処理装置。
【発明の詳細な説明】
【技術分野】
【０００１】
この発明は、個々の錠剤毎に分けて包装した錠剤の包装体と、包装体に各々包装された各錠剤を順次処理液中に補充する錠剤補充装置と、この錠剤補充装置を装備した感光材料処理装置とに関する。
【背景技術】
【０００２】
一般に、ハロゲン化銀写真感光材料の現象処理を行う感光材料処理装置が広く用いられている。このような感光材料処理装置では、黒白感光材料の現象処理を行う場合に、現像液、定着液、水洗液等の処理液を用いて現象処理を行い、カラー感光材料の場合に、発色現像液、漂白定着液（又は漂白液、定着液）、安定液等の処理液を用いて現象処理を行っている。
【０００３】
この感光材料処理装置では、各処理液の性能を一定に保ったまま多量の感光材料を連続して処理するため、各処理液が感光材料を処理したために消費された成分を補充して処理液成分を一定に保つ必要がある。
【０００４】
このため、感光材料処理装置では、各処理液に対応する各補充液を、必要に応じて写真処理タンク内へ加えると共に、写真処理タンク内の使用済み処理液の一部を写真廃液として廃液タンクへ排出して、写真処理タンク内の処理液に有害な成分などが蓄積しないようにしている。
【０００５】
このような感光材料処理装置では、各処理液の機能を良好に保つため、補充液に抗菌剤を添加して、細菌やカビの増殖を防止するのが普通である。
【０００６】
このような感光材料処理装置では、通常、各処理液に補充液を適宜追加供給するための補充液自動供給装置を備えており、この補充液自動供給装置に備えられた補充液貯留タンクが空になると、作業者が補充水を補充する作業を行うように構成されている。
【０００７】
この補充水の補充作業では、作業者が、例えば一回に約４Ｌ（リットル）の補充水を、補充液貯留タンクの補充口からポリエチレンジョッキにて補充する際に、１錠の抗菌剤錠剤を同じ補充口より投入する。
【０００８】
ここで用いる一般に市販されている抗菌剤錠剤は、ポリエチレン製のビンに１００錠単位で収納されているので、作業者は、補充水を補充する作業ごとに、抗菌剤錠剤のポリエチレン製のビンを収納場所から取り出し、このポリエチレン製のビンから小さい錠剤を１錠だけ取出し補充水補充口に投入した後、この抗菌剤錠剤のポリエチレン製のビンを再び収納場所へ返還する作業をしなければならず、作業能率を低下させる原因となっている。
【０００９】
また、補充液貯留タンクに補充水を投入後直ちに抗菌剤錠剤を投入すべきであるが、作業者が補充水を補充液貯留タンクに補充する作業と、作業者が抗菌剤錠剤を補充液貯留タンクに補充する作業とは、別々に行われる別個の手作業であるため、抗菌剤錠剤の投入を怠る虞がある。このように抗菌剤錠剤の投入を怠ると、安定な写真処理の維持に支障をきたす事にもなりかねない。
【００１０】
そこで、従来の自動現像装置では、抗菌剤錠剤を裸のまま収容塔に縦に重ねて収容しておき、最下段の抗菌剤錠剤を押圧ブラケットによって抗菌剤錠剤を横に押し出して、感光材料自動現像機の処理槽へ逐次投入するようにした防菌剤供給手段を設けることが提案されている（例えば、特許文献１参照。）。
【００１１】
このような防菌剤供給手段では、抗菌剤錠剤を一つ一つ収容塔に装填するのに手間がかかり不便であると共に、抗菌剤錠剤を裸のまま収容するため、多量の抗菌剤錠剤を裸のまま長期に渡って保存すると吸湿して軟化し、錠剤の形状が崩れてしまう虞がある。
【００１２】
また、従来の自動現像装置では、処理剤を、一方の帯状包材に形成したふくらみ部に処理剤を収納し、この一方の包材のふくらみ部の開口がある平面に、他方の帯状包材を貼着して構成した包装体を用いた、２軸巻取り方式の補充供給装置を設けることが提案されている。この２軸巻取り方式の補充供給装置は、包装体の一方の帯状包材を一方の巻取り軸に巻装し、包装体の他方の帯状包材を他方の巻取り軸に巻装し、これら一方の巻取り軸と他方の巻取り軸とを同時に回動して、包装体における一方の帯状包材から他方の帯状包材を引き剥がすことによって固形処理剤を処理槽へ投入するようにしている（例えば、特許文献２参照。）。
【００１３】
このような２軸巻取り方式の補充供給装置では、補充供給装置の２軸に包装体をセットする際に、包装体の先端部を一方の帯状包材と他方の帯状包材とに引き剥がし、さらに、一方の帯状包材の先端部を一方の巻き取り軸に巻着し、他方の帯状包材の先端部を他方の巻き取り軸に巻着するという手間の掛かる作業を強いられる。さらに、この２軸巻取り方式の補充供給装置では、１個の包装体が使用済みとなると、２個の帯状包材に分かれて２個の巻き取り軸に巻装された状態となるので、２個の巻き取り軸のそれぞれから使用済みの帯状包材を巻き戻して取り去る作業にも手間が掛かるという問題がある。
【特許文献１】公開実用新案公報  平１−８５７３２号
【特許文献２】特許第３３１６６５０号
【発明の開示】
【発明が解決しようとする課題】
【００１４】
本発明は上述の問題に鑑み、錠剤の取り扱いを簡便にできる錠剤の包装体と、この錠剤の包装体を容易に装填して錠剤補充操作を適切に行えるようにした錠剤補充装置と、この錠剤補充装置を装備した感光材料処理装置とを、新たに提供することを目的とする。
【課題を解決するための手段】
【００１５】
本発明の請求項１に記載の錠剤の包装体は、複数の凹部状に形成した錠剤収容部を一体に形成したシート部材と、各錠剤収容部内にそれぞれ収容された錠剤と、錠剤を入れた錠剤収容部の開口があるシート部材の平面に一体的に接着されることにより、シート部材と相俟って錠剤を密封するフィルム状部材と、フィルム状部材における錠剤収容部の開口周囲部分に形成された、簡易破断手段と、シート部材とフィルム状部材とが一体化された平面部分に、操作開口を等間隔で直線状に穿設して構成した搬送用の開口列と、を有することを特徴とする。
【００１６】
上述のように構成することにより、複数の錠剤を包装体に収納した状態で一体的に扱えるので、取り扱いを容易かつ簡便にできる。さらに、複数の錠剤が包装体に密封されているので、錠剤の成分が周囲のものに付着することを防止できる。また、この錠剤の包装体は、包装体のフィルム状部材における錠剤収容部の開口周囲部分に簡易破断手段を形成したので、機械的な動作で錠剤収容部を押圧したときに簡易破断手段が破れてフィルム状部材を常に同様の開状態にさせることができる。さらに、この錠剤の包装体には、搬送用の開口列が形成されているので、これを利用して、錠剤を収納した各錠剤収容部の位置がそれぞれ錠剤の投入口に正確に位置決めされるように順次搬送する操作を容易にできる。これらのことから、この錠剤の包装体は、錠剤を自動的に投入する装置にかけて利用するのに適したものとすることができる。
【００１７】
本発明の請求項２に記載の錠剤補充装置は、シート部材に複数の凹部状に形成した錠剤収容部を一体に形成し各錠剤収容部内にそれぞれ錠剤を収容し錠剤収容部の開口があるシート部材の平面にフィルム状部材を一体的に接着して構成した錠剤の包装体を、補充液の補充槽に設けた錠剤投入口部材の開口に各錠剤収容部が順次合致するように、搬送操作する搬送位置決め手段と、錠剤投入口部材の開口に位置決めされた錠剤収容部を押し操作して、内部に収容されていた錠剤がフィルム状部材を破り錠剤投入口部材内部へ落下するようにさせる、錠剤排出機構と、を有することを特徴とする。
【００１８】
上述のように構成することにより、この錠剤補充装置では、錠剤の包装体を容易に装填でき、しかも装填した錠剤の包装体を、搬送位置決め手段が、錠剤投入口部材の開口に各錠剤収容部が順次合致するように搬送操作する。そして、錠剤収容部が錠剤投入口部材の開口直上に位置した状態で、錠剤排出機構が錠剤収容部を押し操作することによりフィルム状部材を破って錠剤を錠剤投入口部材内部へ落下させるという錠剤の投入動作を、人手をかけずに、自動的に確実に実行でき、作業能率を向上できる。また、この錠剤補充装置は、簡素な構成なので廉価に製造できる。
【００１９】
本発明の請求項３に記載の錠剤補充装置は、複数の凹部状に形成した錠剤収容部を一体に形成したシート部材と各錠剤収容部内にそれぞれ収容された錠剤と錠剤を入れた錠剤収容部の開口があるシート部材の平面に一体的に接着されることによりシート部材と相俟って錠剤を密封するフィルム状部材とフィルム状部材における錠剤収容部の開口周囲部分に形成された簡易破断手段とシート部材とフィルム状部材とが一体化された平面部分に操作開口を等間隔で直線状に穿設して構成した搬送用の開口列とを有する錠剤の包装体を、搬送用の開口列に送り操作用歯車部材の各歯部を噛合させた状態で送り操作用歯車部材を回動することにより補充液の補充槽に設けた錠剤投入口部材の開口に各錠剤収容部が順次合致するように搬送する錠剤包装体の送り機構と、錠剤投入口部材の開口に位置決めされた錠剤収容部を押し操作して、内部に収容されていた錠剤がフィルム状部材を破り錠剤投入口部材内部へ落下するようにさせる、錠剤排出機構と、を有することを特徴とする。
【００２０】
上述のように構成することにより、この錠剤補充装置では、錠剤の包装体を容易に装填でき、しかも装填した錠剤の包装体を、搬送位置決め手段が、錠剤の包装体に設けた搬送用の開口列に送り操作用歯車部材の各歯部を噛合させた状態で送り操作用歯車部材を回動することにより補充液の補充槽に設けた錠剤投入口部材の開口に各錠剤収容部が順次合致するように搬送する。そして、錠剤収容部が錠剤投入口部材の開口直上に位置した状態で、錠剤排出機構が錠剤収容部を押し操作することによりフィルム状部材を破って錠剤を錠剤投入口部材内部へ落下させるという錠剤の投入動作を、人手をかけずに、自動的に確実に実行でき、作業能率を向上できる。また、この錠剤補充装置は、簡素な構成なので廉価に製造できる。
【００２１】
請求項４に記載の発明は、請求項１又は請求項２に記載の錠剤補充装置において、錠剤投入口部材の内部から、フィルム状部材が破られた錠剤収容部の内部へ洗浄用の液体を噴射して洗浄する洗浄手段を設けたことを特徴とする。
【００２２】
上述のように構成することにより、前述した請求項１又は請求項２に記載の発明の作用、効果に加えて、錠剤の包装体の錠剤収容部内に付着した錠剤の成分を洗浄手段で洗浄して除去できるから、錠剤が全て排出された使用済みの錠剤包装体を廃棄する際に、錠剤の成分が周囲に撒き散らされるようなことを防止し、空の使用済みの錠剤包装体を破棄する作業を容易にできる。
【００２３】
請求項５に記載の錠剤補充装置を装備した感光材料処理装置は、請求項２乃至請求項４の何れか１項に記載した錠剤補充装置を具備することを特徴とする。
【発明の効果】
【００２４】
本発明の錠剤の包装体によれば、錠剤の取り扱いを簡便にできるという効果がある。また、本発明の錠剤補充装置によれば、錠剤の包装体を容易に装填でき、所要の錠剤を包装体の一部を破ることにより取り出して錠剤を補充するという操作を適切に行えるという効果がある。さらに、この錠剤補充装置を装備した感光材料処理装置によれば、簡素な構成の廉価な錠剤補充装置を利用することにより、処理液中に錠剤を投入する作業を、手間を掛けずに確実に行えるので、作業能率を向上できるという効果がある。
【発明を実施するための最良の形態】
【００２５】
本発明の錠剤の包装体と、錠剤補充装置と、錠剤補充装置を装備した感光材料処理装置に係わる実施の形態について、図１乃至図５を参照しながら説明する。
【００２６】
本実施の形態の錠剤補充装置を装備した感光材料処理装置に係るプリンタプロセッサ１０は、プリンタ部１２とプロセッサ部１４とを具備する。
【００２７】
このプリンタ部１２には、マガジン１６、カッタ１８、裏印字部２０、露光部２２及び振り分け部２４を設けて構成する。このプリンタ部１２では、マガジン１６にセットされた帯状の感光材料２６を、搬送経路２８上に引き出してプリントサイズに応じてカッタ１８により切断してカットシート状の感光材料２６ａをつくる。このカットシート状の感光材料２６ａは、２点鎖線で示す搬送経路２８に沿って露光部２２に向けて搬送される途中で、裏印字部２０によりコマ番号や補正データなどの印字が行われる。
【００２８】
そして、露光部２２では、搬送されてきたカットシート状の感光材料２６ａの受光面に、画像データに基づいた画像を露光記録する。露光済みの感光材料２６ａは、さらに搬送経路２８上を搬送されて振り分け部２４に至り、この振り分け部２４で２列に配列されてから、乳剤面を上側、支持体を下側にした状態でプロセッサ部１４に搬出される。
【００２９】
このプロセッサ部１４には、感光材料現像処理装置３０、乾燥装置３２及びソータ部３４を設ける。この感光材料現像処理装置３０には、搬送経路２８の上流側（図に向かって左側）から順に、現像槽３６と、漂白定着槽３８と、第１水洗槽４０、第２水洗槽４２、第３水洗槽４４、および第４水洗槽４６からなる水洗槽４８とを設ける。この感光材料現像処理装置３０では、現像槽３６に現像液を貯留し、漂白定着槽３８に漂白定着液を貯留し、また、水洗槽４８に水洗液を所定量貯留する。
【００３０】
また、現像槽３６と漂白定着槽３８との内部には、感光材料２６を各槽内で略Ｕ字状に設定された搬送経路上で搬送するための複数の搬送ローラからなる搬送ラック５０を設ける。
【００３１】
現像槽３６の上方には、感光材料２６をプリンタ部１２から現像槽３６内へ搬送する搬送ローラ対５２と、現像処理された感光材料２６を漂白定着槽３８側へ搬送する搬送ローラ対５４とを設ける。同様に、漂白定着槽３８の上方には、現像槽３６側から搬送された感光材料２６を漂白定着槽３８内へ搬送する搬送ローラ対５６と、定着処理された感光材料２６を第１水洗槽４０側へ搬送する搬送ローラ対５８を設ける。
【００３２】
また、水洗槽４８における第１水洗槽４０の上方には、定着処理された感光材料２６を第１水洗槽４０内へ搬送する搬送ローラ対６０を設ける。これらの搬送ローラ対５２〜６０によって液外スクイズ部が構成され、感光材料２６に付着した処理液が次の槽へ持ち込まれないようにしている。
【００３３】
この水洗槽４８には、その第１水洗槽４０、第２水洗槽４２、第３水洗槽４４及び第４水洗槽４６との間にそれぞれ介在して各水洗槽を仕切る隔壁の所定位置に、感光材料２６の通過を可能にし、水洗液の通過を阻止するための液中スクイズ部７４を配設する。
【００３４】
さらに、この水洗槽４８には、第１水洗槽４０から隔壁の液中スクイズ部７４を通過して第２水洗槽４２へ入り、第２水洗槽４２の隔壁の液中スクイズ部７４を通過して第３水洗槽４４へ入り、第３水洗槽４４の隔壁の液中スクイズ部７４を通過して第４水洗槽４６に入る液中に設定された搬送経路２８に沿って感光材料２６を搬送するための搬送ローラ対６４を設ける。なお、煩雑になるため図示は省略するが、搬送ローラ対６４は、各々取り外し可能な搬送ラックと一体に設けられている。
【００３５】
また水洗槽４８では、その第４水洗槽４６に、補充槽６６からポンプ６８を備えた送液管６７を介して補充液が補充される。水洗液の補充による増加分は、第４水洗槽４６から第３水洗槽４４へオーバーフローして注入され、第３水洗槽４４から第２水洗槽４２へオーバーフローして注入され、さらに第２水洗槽４２から第１水洗槽４０へオーバーフローして注入される、いわゆる向流カスケード方式で順次感光材料の搬送方向上流側の水洗槽に向かって流される。
【００３６】
この第１水洗槽４０には、図示しないが、所定量以上の水洗液を排出するための排出管を設け、所定量以上となった水洗液が排出管を通って廃液貯留タンクに貯留されるよう構成する。
【００３７】
また、現像槽３６には、補充槽６６からポンプ６９を備えた送液管７３を介して補充液が補充される。この現像槽３６には、図示しないが、使用済みの現像液を排出するための排出管を設け、使用済みの現像液が排出管を通って廃液貯留タンクに貯留されるよう構成する。
【００３８】
さらに、漂白定着槽３８には、補充槽６６からポンプ７５を備えた送液管７７を介して補充液が補充される。この漂白定着槽３８には、図示しないが、使用済みの漂白定着液を排出するための排出管を設け、使用済みの漂白定着液が排出管を通って廃液貯留タンクに貯留されるよう構成する。
【００３９】
このプロセッサ部１４では、第４水洗槽４６の上方に、水洗された感光材料２６を乾燥装置３２へ搬送する搬送ローラ対６２を設ける。
【００４０】
このプロセッサ部１４では、現像、定着及び水洗の処理がされ、完成された感光材料２６を乾燥装置３２へ搬入して乾燥してからソータ部３４へ搬送し振り分けてストックし、一連の処理を完了する。
【００４１】
次に、本実施の形態の感光材料処理装置に係るプリンタプロセッサ１０で利用する錠剤補充装置と、この錠剤補充装置で使用する錠剤の包装体について説明する。
【００４２】
図３に、本実施の形態に係わる錠剤の包装体を示すように、この抗菌剤錠剤１１０を封入した錠剤包装体１１２は、例えば、ＰＴＰ（Ｐｒｅｓｓ  Ｔｈｒｏｕｇｈ  Ｐａｃｋ）包装又はブリスターパック包装として構成する。
【００４３】
この錠剤包装体１１２で密封する抗菌剤錠剤１１０としては、例えば下記の成分で構成されたものを用いることができる。この市販されている抗菌剤錠剤１１０の外形寸法は、直径が１２ｍｍで、厚さが３ｍｍである。
【００４４】
記
抗菌剤錠剤の１例  １錠中の成分
抗菌剤有効成分    ジクロロイソシアヌル酸  ０，１ｇ
増量剤その他      無水硫酸ソーダ          ０．６３ｇ
ホウ酸                                    ０．０２ｇ
合計                                          ０．７５ｇ
なお、本明細書で「錠剤」というときは、所定形状を保つように種々の手段で固形化された薬剤を意味するものとする。
【００４５】
図３（Ｃ）に示すように、この錠剤包装体１１２は、プラスチックシート等の塑性変形させる加工が可能なシート部材に、複数の凹部状に形成した錠剤収容部１１８を設けた成型シート部材１１４と、接着層を積層させたフィルム状部材１２０とを貼着して、図３（Ａ）（Ｂ）に示すように構成する。
【００４６】
この成型シート部材１１４は、塩化ビニル樹脂又はＰＥＴ（ポリエチレンテレフタレート）等のプラスチックを材料とした矩形帯状のシート材を成型して、長手方向に一列に並ぶ複数の錠剤収容部１１８を形成する。このように成型して形成される各錠剤収容部１１８は、抗菌剤錠剤１１０を遊置できるように、抗菌剤錠剤１１０の外形より一回り大きい凹部となるように形成する。
【００４７】
そして、成型シート部材１１４の各錠剤収容部１１８内にそれぞれ抗菌剤錠剤１１０を遊置した状態で、成型シート部材１１４における錠剤収容部１１８が開口している平面に、矩形帯状のフィルム状部材１２０を貼着して一体化する。このフィルム状部材１２０は、接着面に接着剤または低軟化点ＰＥ（ＬＬＤＰＥ）を塗布又はラミネートした矩形帯状のアルミ箔またはＰＥＴ等で構成する。
【００４８】
このフィルム状部材１２０には、錠剤収容部１１８の開口部周囲に対応するよう、簡易開放手段を構成する。この簡易開放手段は、成型シート部材１１４の表面から突出した錠剤収容部１１８の部分を介して抗菌剤錠剤１１０を押したときに、フィルム状部材１２０における錠剤収容部１１８の開口部周囲に対応した部分が常に所定の状態で破断し、このフィルム状部材１２０の破断した部分が舌片状にめくれることにより、錠剤収容部１１８内の抗菌剤錠剤１１０を外に飛び出させ得るように構成する。この簡易開放手段は、例えば、図３に図示するように、錠剤収容部１１８の開口部周囲に対応した円周の所定一部を除いた部分に、破れ易くする簡易破断手段を構成するためのいわゆるミシン目を入れる如く、レーザーカット等の一般に用いられている手段によって強度の弱い部分を点線状に連ねて構成した破断線用構造部１２２で構成することができる。
【００４９】
このように構成した錠剤包装体１１２には、搬送操作の補助用に、搬送用の開口列であるパーフォーレーション１２４を設ける。このパーフォーレーション１２４は、歯車状に構成した送り部材における各送り爪を挿入するための矩形等に形成された操作開口を等間隔で直線状に配置して構成する。さらに、この錠剤包装体１１２では、パーフォーレーション１２４の列を、複数の錠剤収容部１１８の列と平行となるように構成すると共に、各錠剤収容部１１８が錠剤投入口に対応する位置で錠剤包装体１１２を位置決めして停止させられるように、パーフォーレーション１２４の各操作開口の位置を設定して構成する。
【００５０】
このプリンタプロセッサ１０のハウジング内部には、補充水（補充液）を貯留しておく補充槽６６を設置する。この補充槽６６の上蓋部分には、筒状に立設された補充水投入口部材１２６と、同じく筒状に立設された錠剤投入口部材１２８とを一体的に設ける。
【００５１】
この補充水投入口部材１２６には、その補充水投入用開口部に、開閉可能に、蓋部材１３０を装着する。
【００５２】
また、錠剤投入口部材１２８には、その錠剤投入用の開口部に、錠剤補充装置を設置する。図１、図２、図４及び図５に示すように、この錠剤補充装置では、錠剤投入口部材１２８の錠剤投入口部分から一方に延出するように、錠剤包装体１１２用のガイドテーブル１３２を設置する。
【００５３】
このガイドテーブル１３２には、その錠剤投入口部分近傍にある端部に接続するように使用済み錠剤包装体１１２の破棄トレイ１３４を設置する。さらに、このガイドテーブル１３２には、錠剤包装体１１２を初期セット位置から破棄トレイ１３４へ直線的に摺動させながら搬送可能とするための、図示しないガイド部材を設ける。
【００５４】
また、この錠剤投入口部材１２８の錠剤投入口部分の近傍には、錠剤包装体１１２用の搬送位置決め手段としての錠剤包装体の送り機構１３６を設ける。この錠剤包装体の送り機構１３６は、モータ１３８の回転主軸に減速ギアボックス１４０を接続し、このギアボックス１４０の出力軸に送り操作用歯車部材１４２を取り付けて構成する。この送り操作用歯車部材１４２は、その外周部に突設した各歯部が、各々錠剤包装体１１２のパーフォーレーション１２４の各操作開口に噛合可能に構成する。
【００５５】
このように構成した錠剤包装体の送り機構１３６は、モータ１３８を所要回転数回動してギアボックス１４０を介して送り操作用歯車部材１４２を回動することによって送り操作用歯車部材１４２に噛合したパーフォーレーション１２４を所要距離搬送する動作を行い、錠剤包装体１１２の複数の錠剤収容部１１８を搬送方向上流側から順次錠剤投入口部材１２８の錠剤投入開口の直上に位置させるように駆動制御される。
【００５６】
また、この錠剤投入口部材１２８の錠剤投入口直上の近傍には、錠剤包装体１１２の各錠剤収容部１１８から抗菌剤錠剤１１０を排出させる錠剤排出機構１４４を配置する。この錠剤排出機構１４４は、ソレノイドを利用してロッド１４８を伸縮駆動するアクチェータ１４６で構成する。この錠剤排出機構１４４は、図４に示すようにアクチェータ１４６を駆動してロッド１４８を延出させることにより、図５に示すようにロッド１４８の先端で錠剤収容部１１８の頂部を押圧して錠剤収容部１１８内の抗菌剤錠剤１１０を押すことによって、この抗菌剤錠剤１１０がフィルム状部材１２０を破断線用構造部１２２に沿って破断することにより舌片状に捲れ上がらせて錠剤包装体１１２の外部へ飛び出し、錠剤投入口から錠剤投入口部材１２８内部に入って補充槽６６内の補充水中に落下させるようにする。
【００５７】
なお、錠剤排出機構１４４は、ロッド１４８を延出させる動作後、ロッド１４８を引き込んで次の動作に備える。また、補充槽６６の補充水中に落下した抗菌剤錠剤１１０は、自然に溶解する。
【００５８】
また、この錠剤投入口部材１２８内部の錠剤投入口近傍には、洗浄手段としての洗浄ノズル１５０を、錠剤投入口直上に位置するフィルム状部材１２０が破断線用構造部１２２に沿って破れらて錠剤収容部１１８の内部が覗いている部分に向けて配置する。この洗浄手段は、洗浄ノズル１５０に、ポンプ１５２を備えた送液管１５４を接続して構成する。
【００５９】
そして、この洗浄手段では、補充槽６６内の補充水又は図示しない水タンク等からポンプ１５２を使って吸い上げた洗浄用の液体である補充水（水）を、洗浄ノズル１５０から噴射させて、錠剤収容部１１８の内部及び舌片状に捲れたフィルム状部材１２０の内面に吹き付けることによって、そこに付着している抗菌剤錠剤１１０の成分を洗い落とす処理を行う。なお、この洗浄に使われた補充水（水）は、錠剤投入口部材１２８内を伝わって補充槽６６内へ落ち補充水に混ざる。
【００６０】
また、この補充槽６６には、その内部に貯留した補充水の量を検出するために、満杯時の液面を検出する満杯液面検出センサ１５６と、補充済みの液面を検出する補充済液面検出センサ１５８と、補充を開始すべき液面を検出する補充開始液面検出センサ１６０と、補充水欠乏状態の液面を検出する補充水欠乏液面検出センサ１６２とを設置する。
【００６１】
この満杯液面検出センサ１５６が満杯時の液面を検出すると、満杯液面検出センサ１５６は、満杯信号を図示しないプリンタプロセッサ１０の制御部へ送信する。すると、制御部は、図示しない警報装置を駆動して満杯警報を表示し、作業者に補充水の過剰供給を停止させるようにしむける。
【００６２】
また、補充済液面検出センサ１５８が、補充水の補充が必要な補充量に達したことを検出すると、補充済液面検出センサ１５８は、必要な補充量の補充水の補充済み信号を図示しないプリンタプロセッサ１０の制御部へ送信する。すると、制御部は、モータ１３８を駆動して送り操作用歯車部材１４２を所要角度回動し錠剤包装体１１２を所要量搬送し、抗菌剤錠剤１１０が入っている錠剤収容部１１８を錠剤投入口部材１２８の投入開口の直上に位置させて停止させる自動制御の動作を行う。
【００６３】
次に、制御部は、錠剤排出機構１４４を駆動制御して延出されたロッド１４８により錠剤収容部１１８内の抗菌剤錠剤１１０にフィルム状部材１２０を突き破らせて錠剤投入口部材１２８内へ落下させることにより、抗菌剤錠剤１１０を補充槽６６内の補充水に投入し、ロッド１４８を待機位置へ引き戻す自動制御の動作を行う。
【００６４】
次に、制御部は、ポンプ１５２を駆動し、洗浄ノズル１５０から噴射させた洗浄用の水により、錠剤収容部１１８の内部と破れて捲れたフィルム状部材１２０内面とを洗浄する自動制御の動作を行う。
【００６５】
なお、この制御部は、錠剤包装体１１２に包装されている全ての抗菌剤錠剤１１０を使い果たしたときに、錠剤包装体の送り機構１３６を駆動して、錠剤包装体１１２を破棄トレイ１３４へ排出し、作業者が次の未使用のフィルム状部材１２０をセットするように促す表示を行う。
【００６６】
このプリンタプロセッサ１０では、上述のように補充槽６６に対する抗菌剤錠剤１１０の投入を自動的に実行するように構成することなによって、補充槽６６に補充水を補充したときに抗菌剤錠剤１１０の投入忘れを無くすことができるため、プリンタプロセッサ１０によるいわゆる写真処理を安定して行えるようにして品質の安定化を図ることができる。
【００６７】
また、補充開始液面検出センサ１６０が、補充水の量が補充を必要とする量まで減少したことを検出すると、補充開始液面検出センサ１６０は、補充水の補充を求める信号を図示しないプリンタプロセッサ１０の制御部へ送信する。すると、制御部は、図示しない警報装置を駆動して補充水の補充を求める警報を表示し、作業者に補充水の供給を促す。
【００６８】
さらに、補充水欠乏液面検出センサ１６２が補充水の量が最低限度量まで減少したことを検出すると、補充開始液面検出センサ１６０は、補充水不足の信号を図示しないプリンタプロセッサ１０の制御部へ送信する。すると、制御部は、図示しない警報装置を駆動して補充水不足の警報を表示し、その時点で行われているプリンタプロセッサ１０の処理作業を完了後、プリンタプロセッサ１０の動作を強制終了させる自動制御の動作を行う。
【００６９】
なお、上述した実施の形態では、錠剤包装体１１２用の搬送位置決め手段として、錠剤包装体１１２のパーフォーレーション１２４の各操作開口に、送り操作用歯車部材１４２の各歯部を噛合させた状態で送り操作用歯車部材１４２を回動させる構成について説明したが、図示しないモータで回動されるゴム車輪を錠剤包装体１１２の表面に圧接した状態で転接させることにより、ゴム車輪と錠剤包装体１１２との間の摩擦力で錠剤包装体１１２を搬送位置決めさせるように構成しても良い。また、図示しないが、錠剤包装体１１２の表面から突設された各錠剤収容部１１８を、Ｕ字状の爪部材の間に挟んだ状態で、このＵ字状の爪部材を間欠動作機構を利用して、錠剤包装体１１２の搬送方向に所定の往復動作を行わせることによって、錠剤収容部１１８を順次錠剤投入口部材１２８の開口上部へ搬送して位置決めするように構成しても良い。
【００７０】
本発明は、上述した実施の形態に限定されるものではなく、本発明の要旨を逸脱しない範囲で、その他種々の構成をとり得ることは勿論である。
【図面の簡単な説明】
【００７１】
【図１】本発明の実施の形態に係るプリンタプロセッサを示す、概略構成図である。
【図２】本発明の実施の形態に係るプリンタプロセッサに用いる、錠剤補充装置を備えた補充水の補充槽部分を取り出して示す要部拡大概略構成図である。
【図３】（Ａ）（Ｂ）（Ｃ）本発明の実施の形態に係るプリンタプロセッサの補充水の補充槽部分に設置した錠剤補充装置に用いる、錠剤包装体を取り出して示す要部拡大概略構成図である。
【図４】本発明の実施の形態に係るプリンタプロセッサに用いる、補充水の補充槽に取り付ける錠剤補充装置の部分を取り出して示す要部拡大斜視図である。
【図５】本発明の実施の形態に係るプリンタプロセッサに用いる、錠剤補充装置の錠剤排出機構で錠剤を補充する動作中の状態を取り出して示す要部拡大部分断面側面図である。
【符号の説明】
【００７２】
１０  プリンタプロセッサ
１４  プロセッサ部
２６  感光材料
３０  感光材料現像処理装置
６６  補充槽
６７  送液管
６８  ポンプ
６９  ポンプ
７３  送液管
７５  ポンプ
７７  送液管
１１０      抗菌剤錠剤
１１２      錠剤包装体
１１４      成型シート部材
１１８      錠剤収容部
１２０      フィルム状部材
１２２      破断線用構造部
１２４      パーフォーレーション
１２６      補充水投入口部材
１２８      錠剤投入口部材
１３２      ガイドテーブル
１３４      破棄トレイ
１３６      錠剤包装体の送り機構１３６機構
１３８      モータ
１４０      ギアボックス
１４０      減速ギアボックス
１４２      操作用歯車部材
１４４      錠剤排出機構
１４６      アクチェータ
１４８      ロッド
１５０      洗浄ノズル
１５６      満杯液面検出センサ
１５８      補充済液面検出センサ
１６０      補充開始液面検出センサ
１６２      補充水欠乏液面検出センサ
【図１】
2006084773.tif 000003
【図２】
2006084773.tif 000004
【図３】
2006084773.tif 000005
【図４】
2006084773.tif 000006
【図５】
2006084773.tif 000007